(57)【特許請求の範囲】
【請求項１】
プリンタ部に形成されたチューブまたは剥離紙付き粘着テープの送り経路に、一対のガイドプレートの間隔を調節できる手動調節式チューブガイドと、二つのガイドプレートをバネにより閉じる方向に付勢してチューブまたは剥離紙付き粘着テープの両端部を挟む自動センタリング式チューブガイドを備え、軟質樹脂製チューブまたは剥離紙付き粘着テープに端子番号等の文字を印字するチューブプリンタに用いるテープガイドアダプタにおいて、
上記テープガイドアダプタは剥離紙付き粘着テープの左右方向の位置決めを行なう固定ガイドプレートと、固定ガイドプレートの下流側の片側に上行傾斜面の傾斜ガイド部を形成し、
チューブプリンタの粘着テープの送り経路に装着することにより、
前記固定ガイドプレートによって印字ヘッドに対する粘着テープの左右方向の位置を決め、前記傾斜ガイド部により粘着テープの姿勢を進行方向軸廻りに回転させて、粘着テープの姿勢を水平姿勢から傾斜した姿勢で自動センタリング式チューブガイドへ案内し、垂直姿勢で排出されるように構成して成ることを特徴とするチューブプリンタのテープガイドアダプタ。
【発明の詳細な説明】
【０００１】
【発明の属する技術分野】
この発明は、端子番号表示用樹脂チューブ等に印字するチューブプリンタに関するものであり、特に、剥離紙付き粘着テープに印字する際に用いるチューブプリンタのテープガイドアダプタに関するものである。
【０００２】
【従来の技術】
電気設備の中継端子台に接続される電線に被せる端子番号表示チューブや、中継端子台に貼付する端子番号表示ラベルを作成するために、軟質樹脂製のチューブや剥離紙付き粘着テープに印字できるように構成したチューブプリンタが知られている。
【０００３】
此種のチューブプリンタは、プラテンローラとサーマルヘッドとによりチューブまたは粘着テープとインクリボンとを挟み、プラテンローラをモータによって回転駆動してチューブ等を走行させて、サーマルヘッドにより文字を印字するサーマルプリンタであり、種々の幅のチューブや粘着テープの全幅の中央位置に印字するために、プラテンローラの前後にチューブ等を位置決めするチューブガイドが備えられている。
【０００４】
プラテンローラの前（上流側）のチューブガイドは、手動で二つのガイドプレートを左右対称に移動して間隔を拡大または縮小できるように形成されており、プラテンローラの直後とテープ排出口に設けられた二つのチューブガイドは、自動センタリング式となっている。
【０００５】
自動センタリング式チューブガイドは、対向する二つのレバー式ガイドプレートとバネとによって構成されていて、バネにより二つのガイドプレートの先端が閉じるように付勢されている。二つのガイドプレートは、チューブや粘着テープを左右両側から挟込んで、チューブや粘着テープの全幅の中心とサーマルヘッドの左右中心が一致するようにガイドし、プラテンローラの前後に配置したチューブガイドにより、チューブの太さや粘着テープの幅にかかわらず全幅の中心に文字が印刷される。
【０００６】
【発明が解決しようとする課題】
従来のチューブプリンタは、使用するチューブの太さや剥離紙付き粘着テープの幅に合わせて手動調節式チューブガイドの間隔を調節するように構成されているが、間隔が狭すぎると摩擦により走行抵抗が大きくなって印字不良をおこすことがある。また、間隔が広すぎると、チューブ等の位置が左右にずれて印字位置がばらつくことになる。
【０００７】
樹脂製のチューブは柔軟性があるので、手動調節式チューブガイドの幅をある程度狭く調節しても印字不良が発生することは殆どないが、剥離紙付き粘着テープは幅方向への伸縮性がないので、チューブガイドに粘着テープが強く挟まれた状態ではしばしば走行不良及び印字不良が発生する。
【０００８】
また、剥離紙に樹脂ラベルを並べて貼付したデバイスラベルテープのように薄手のテープは、自動センタリング式チューブガイドによって左右から挟まれると、摩擦抵抗によって円滑に排出されなかったり、中高に湾曲したり片側が浮き上がって走行経路が左右に乱れることがある。
【０００９】
そこで、粘着テープを安定して送るために解決すべき技術的課題が生じてくるのであり、本発明は上記課題を解決することを目的とする。
【００１０】
【課題を解決するための手段】
この発明は、上記目的を達成するために提案するものであり、プリンタ部に形成されたチューブまたは剥離紙付き粘着テープの送り経路に、一対のガイドプレートの間隔を調節できる手動調節式チューブガイドと、二つのガイドプレートをバネにより閉じる方向に付勢してチューブまたは剥離紙付き粘着テープの両端部を挟む自動センタリング式チューブガイドを備え、軟質樹脂製チューブまたは剥離紙付き粘着テープに端子番号等の文字を印字するチューブプリンタに用いるテープガイドアダプタにおいて、
上記テープガイドアダプタは剥離紙付き粘着テープの左右方向の位置決めを行なう固定ガイドプレートと、固定ガイドプレートの下流側の片側に上行傾斜面の傾斜ガイド部を形成し、
チューブプリンタの粘着テープの送り経路に装着することにより、
前記固定ガイドプレートによって印字ヘッドに対する粘着テープの左右方向の位置を決め、前記傾斜ガイド部により粘着テープの姿勢を進行方向軸廻りに回転させて、粘着テープの姿勢を水平姿勢から傾斜した姿勢で自動センタリング式チューブガイドへ案内し、垂直姿勢で排出されるように構成して成るチューブプリンタのテープガイドアダプタを提供するものである。
【００１１】
【発明の実施の形態】
以下、この発明の実施の一形態を図に従って説明するが、先にチューブプリンタの構成を簡単に説明する。図１は、ラップトップ形のチューブプリンタ１の一部を示し、本体後部に内蔵されているプリンタ部２の撥上げ式ヘッドユニット３を撥上げた状態を示している。プリンタ部２の手前（図１において左）には液晶ディスプレイ４が配置され、液晶ディスプレイ４の手前にキーボード（図示せず）が配置されている。
【００１２】
プリンタ部２の右にはガイドレール（図示せず）が形成されており、印字用の樹脂製チューブや剥離紙付き粘着テープを本体の右側からガイドレールに沿ってプリンタ部２へ挿入する。プリンタ部２内には、上下に回動可能なアーム５，６に枢着された前後二つのピンチローラ７，８が配置されている。プリンタ部２の後部のピンチローラ開閉レバー９を図１において左側へ回動すれば、アーム５，６は上方へ回動し、ローラ開閉レバー９を右側へ回動すれば、アーム５，６が下降してピンチローラ７，８は、ピンチローラ７，８の下に配置されたローラに圧接してチューブや粘着テープが挟まれる。
【００１３】
ピンチローラ８の下流側（左側）には、対向する一対のレバー式ガイドプレートによって構成された自動センタリング式チューブガイド１０が設けられていて、さらにその下流に図に現れないカッタ機構が内蔵され、チューブ排出口の直前にさらに一つの自動センタリング式チューブガイド（図示せず）が設けられている。
【００１４】
ヘッドユニット３内にはサーマルヘッド１１及びモータ（図示せず）が取り付けられており、ヘッドユニット３を引下げて閉じれば、サーマルヘッド１１が直下のプラテンローラに圧接してチューブや剥離紙付き粘着テープを挟圧する。尚、１２はインクリボンである。
【００１５】
図２はプリンタ部２の送り機構の構成を示し、チューブまたは粘着テープの走行経路には、上流側から手動式チューブガイド１３、従動ローラ１４、プラテンローラ１５、送りローラ１６、自動センタリング式チューブガイド１０が配列されており、プラテンローラ１５と送りローラ１６は、ギヤ機構を介してヘッドユニット３内のモータにより回転駆動される。印字の際は、前述した二個のピンチローラ７，８が従動ローラ１４と送りローラ１６とに圧接してチューブまたは粘着テープを挟み、サーマルヘッド１１がプラテンローラ１５に圧接する。
【００１６】
チューブへ印字するときは、手動式チューブガイド１３の左右二つのガイドプレートの間隔をチューブの太さに合わせて調節するが、薄手の粘着テープへ印字する場合は、手動式チューブガイド１３の左右二つのガイドプレートの間隔を開いて、図２及び図３に示すようにプリンタ部２にテープガイドアダプタ１７を装着すれば、粘着テープを精度良く安定して送ることができる。
【００１７】
図４に示すように、テープガイドアダプタ１７は、プリンタ部３のガイドレール部分に装着できるように、ガイドレール部分の形状に合わせて形成されており、従動ローラ１４とプラテンローラ１５と送りローラ１６を露出させるための窓１８，１９，２０が開けられていて、上流側と下流側に粘着テープの幅に合わせた固定ガイドプレート２１，２２が設けられている。
【００１８】
２３は従動ローラ１４とピンチローラ７に跨がるブリッジ部であり、上流側固定ガイドプレート２１の間を通過した粘着テープは、ブリッジ部２３の前面のスリット２４を通じて下流側へ進行する。
【００１９】
下流側固定ガイドプレート２２よりも先の部分は、チューブプリンタ１の自動センタリング式チューブガイド１０の下に挿入されるが、この部分の片側（下流に向かって右側）に、下流に向かって上昇する傾斜ガイド部２５が形成されている。
【００２０】
したがって、印字されて下流側固定ガイドプレート２２を通過した粘着テープは、右側が上昇して自動センタリング式チューブガイド１０の間に送られ、図５に示すように、剥離紙付き粘着ラベルテープＴは自動センタリング式チューブガイド１０に斜めの姿勢で挟まれて、下流のカッタ機構のカッタ刃の間を通り、図６に示すように水平姿勢から進行方向へ向って反時計方向へ９０度捩じられた垂直姿勢で排出口側の自動センタリング式チューブガイド２６を通過して排出される。
【００２１】
従来は、バネを用いた自動センタリング式チューブガイド１０，２６が粘着テープの両縁部を挟むので、自動センタリング式チューブガイド１０，２６と粘着テープが点接触となって摩擦抵抗が大きく、薄手の粘着テープは送りローラ１６の下流で円滑に送られない場合があるが、本発明のテープガイドアダプタ１７は、粘着テープを水平姿勢から捩じった状態として自動センタリング式チューブガイド１０に送るので、粘着テープ走行時の摩擦抵抗が少なく、粘着テープの排出不良や左右方向へのぶれが生じることがない。
【００２２】
尚、この発明は上記の実施形態に限定するものではなく、この発明の技術的範囲内において種々の改変が可能であり、この発明がそれらの改変されたものに及ぶことは当然である。
【００２３】
【発明の効果】
以上説明したように、本発明のテープガイドアダプタをチューブプリンタに装着することにより、粘着テープはテープガイドアダプタの固定ガイドプレートに案内されて送られるので、手動調節式チューブガイドによって案内する場合に起こり得る過大な摩擦抵抗による送り不良及び印字不良を防止できる。また、送りローラの下流で水平姿勢から垂直姿勢に近く捩じって自動センタリング式チューブガイドに送るので、自動センタリング式チューブガイドによって粘着テープが折曲げられたり、挟み圧により排出不良となることも防止でき、特に、薄手の粘着テープの走行安定性の向上に効果を発揮する。
【００２４】
また、テープガイドアダプタの傾斜ガイド部を印字操作者の側からみて奥側に設けることにより、粘着テープの印字面が印字操作者の側を向く垂直姿勢でプリンタ装置から排出されることになり、印字操作者が粘着テープの印字状態を目視し易いという効果もある。
【図面の簡単な説明】
【図１】チューブプリンタのプリンタ部を示す斜視図。
【図２】チューブプリンタのチューブ送り機構を示す解説図。
【図３】チューブプリンタにテープガイドアダプタを装着した状態の解説図。
【図４】テープガイドアダプタの斜視図。
【図５】剥離紙付き粘着ラベルテープの送り状態を示す解説図。
【図６】剥離紙付き粘着ラベルテープの排出状態を示す解説図。
【符号の説明】
１        チューブプリンタ
２        プリンタ部
３        ヘッドユニット
７，８    ピンチローラ
１０        自動センタリング式チューブガイド
１１        サーマルヘッド
１３        手動調節式チューブガイド
１４        従動ローラ
１５        プラテンローラ
１６        送りローラ
１７        テープガイドアダプタ
２１，２２  固定ガイドプレート
２５        傾斜ガイド部
２６        自動センタリング式チューブガイド
Ｔ          剥離紙付き粘着ラベルテープ
【図１】
0004193316.tif 000002
【図２】
0004193316.tif 000003
【図３】
0004193316.tif 000004
【図４】
0004193316.tif 000005
【図５】
0004193316.tif 000006
【図６】
0004193316.tif 000007